(57)【要約】【課題】引裂き線の移動を規制することが可能な光電気複合ケーブルを提供する。【解決手段】光ファイバ２と、光ファイバ２を収容する樹脂からなる内筒体３と、内筒体３の外部に内筒体３の周囲を覆うように配置された複数本の電線４と、複数本の電線４を一括して被覆する筒状の外筒体５と、外筒体５の内周に配置された外筒体５を引き裂くための引裂き線１１と、を備え、少なくとも２本の電線４が、他の電線４よりも外径が小さく形成され、引裂き線１１は、外径が小さい電線４の間に配置される。【選択図】図１
2014216177.tif 000002
【特許請求の範囲】
【請求項１】
光ファイバと、
前記光ファイバを収容する樹脂からなる内筒体と、
前記内筒体の外部に前記内筒体の周囲を覆うように配置された複数本の電線と、
前記複数本の電線を一括して被覆する筒状の外筒体と、
前記外筒体の内周に配置された前記外筒体を引き裂くための引裂き線と、を備え、
少なくとも２本の前記電線が、他の前記電線よりも外径が小さく形成され、
前記引裂き線は、外径が小さい前記電線の間に配置される
ことを特徴とする光電気複合ケーブル。
【請求項２】
前記複数本の電線は、電源供給用の電源線と、前記電源線よりも外径が小さい信号伝送用の信号線と、からなり、
前記引裂き線は、隣接する前記信号線の間に配置される
請求項１記載の光電気複合ケーブル。
【請求項３】
前記複数本の電線は、前記内筒体の外周面に沿って螺旋状に巻き付けられて前記内筒体と前記外筒体との間に介在し、
前記外筒体の外周側から外力を受けることによって前記内筒体が受ける荷重は、隣接する前記電線同士の接触と前記内筒体に対する前記電線のすべりによって緩和される
請求項１または２記載の光電気複合ケーブル。
【発明の詳細な説明】
【技術分野】
【０００１】
本発明は、光ファイバと複数の電線とを有する光電気複合ケーブルに関するものである。
【背景技術】
【０００２】
コンピュータなどの電子装置間の信号伝送等に用いるケーブルとして、光ファイバと複数の電線とを一括してシースで被覆した光電気複合ケーブルが知られている。
【０００３】
特許文献１では、チューブ内に光ファイバを配置し、チューブの外周に沿うように複数本の電線を配置し、複数本の電線をシース等の外筒体で一括して被覆した光電気複合ケーブルが提案されている。チューブの外周に配置する電線としては、電源供給用の電源線と、信号伝送用の信号線が用いられる。
【０００４】
光電気複合ケーブルのような多芯のケーブルでは、端末処理を行う際に作業を容易とするために、外筒体（シース等）を引き裂く引裂き線が備えられる場合がある（例えば、特許文献２参照）。
【先行技術文献】
【特許文献】
【０００５】
【特許文献１】特開２０１２−９１５６号公報
【特許文献２】特開２００４−７７８８８号公報
【発明の概要】
【発明が解決しようとする課題】
【０００６】
ところで、引裂き線は、隣接する電線と外筒体の内周面の間の隙間に配置される。この隙間に引裂き線を配置したときに周囲に空間があると、引裂き線がその空間内で移動してしまう。引裂き線が移動すると、端末処理の作業性が悪化し、また、信頼性の観点からも好ましくないという問題があった。
【０００７】
この問題を解決するため、引裂き線の外径を大きくして隙間を埋めることで、引裂き線の移動を規制することが考えられる。しかし、引裂き線の径を大きくすると、引裂き線の強度（引張強度）は向上するものの、ケーブル質量が増加しコストも高くなってしまうという問題がある。外筒体が引き裂きやすく引裂き線に大きな強度が要求されない場合には、引裂き線として必要以上に外径が大きいものを用いることは好ましくない。
【０００８】
本発明は上記事情に鑑み為されたものであり、引裂き線の移動を規制することが可能な光電気複合ケーブルを提供することを目的とする。
【課題を解決するための手段】
【０００９】
本発明は上記目的を達成するために創案されたものであり、光ファイバと、前記光ファイバを収容する樹脂からなる内筒体と、前記内筒体の外部に前記内筒体の周囲を覆うように配置された複数本の電線と、前記複数本の電線を一括して被覆する筒状の外筒体と、前記外筒体の内周に配置された前記外筒体を引き裂くための引裂き線と、を備え、少なくとも２本の前記電線が、他の前記電線よりも外径が小さく形成され、前記引裂き線は、外径が小さい前記電線の間に配置される光電気複合ケーブルである。
【００１０】
前記複数本の電線は、電源供給用の電源線と、前記電源線よりも外径が小さい信号伝送用の信号線と、からなり、前記引裂き線は、隣接する前記信号線の間に配置されてもよい。
【００１１】
前記複数本の電線は、前記内筒体の外周面に沿って螺旋状に巻き付けられて前記内筒体と前記外筒体との間に介在し、前記外筒体の外周側から外力を受けることによって前記内筒体が受ける荷重は、隣接する前記電線同士の接触と前記内筒体に対する前記電線のすべりによって緩和されてもよい。
【発明の効果】
【００１２】
本発明によれば、引裂き線の移動を規制することが可能な光電気複合ケーブルを提供できる。
【図面の簡単な説明】
【００１３】
【図１】本発明の一実施の形態に係る光電気複合ケーブルの横断面図である。
【図２】図１の光電気複合ケーブルの構造を示す斜視図である。
【図３】図１の光電気複合ケーブルに外力が付与されたときの横断面図である。
【図４】図１の光電気複合ケーブルに曲げが付与されたときの外筒体を省略した側面図である。
【図５】本発明において、屈曲試験を説明する図である。
【図６】本発明において、ケーブル側圧試験を説明する図である。
【発明を実施するための形態】
【００１４】
以下、本発明の実施の形態を添付図面にしたがって説明する。
【００１５】
図１は、本実施の形態に係る光電気複合ケーブルの横断面図であり、図２は、その構造を示す斜視図である。
【００１６】
図１および図２に示すように、光電気複合ケーブル１は、光ファイバ２と、光ファイバ２を収容する樹脂からなる内筒体としてのチューブ３と、チューブ３の外部にチューブ３の周囲を覆うように配置された複数本の電線４と、複数本の電線４を一括して被覆する筒状の外筒体５と、外筒体５の内周に配置された外筒体５を引き裂くための引裂き線１１と、を備えている。
【００１７】
ここでは、光ファイバ２を４本備える場合を記載しているが、光ファイバ２の本数はこれに限定されるものではなく、１本以上であればよい。光ファイバ２は、シングルモード光ファイバであってもよいし、マルチモード光ファイバであってもよい。
【００１８】
光ファイバ２の周囲でかつチューブ３の内部には、アラミドやケブラー（登録商標）などからなる繊維束６が収容されている。繊維束６は、光電気複合ケーブル１の引張強度を高めるための補強部材であり、チューブ３の内部における空間の割合が３５％以上となるように収容されることが望ましい。なお、繊維束６は必須ではなく、チューブ３や外筒体５により十分な引張強度が確保できる場合等には省略可能である。
【００１９】
チューブ３は、フッ化エチレンプロピレン（ＦＥＰ）、パーフルオロアルコキシ（ＰＦＡ）、ポリフッ化ビニリデン（ＰＶＤＦ）、ポリエーテルエーテルケトン（ＰＥＥＫ）、またはエチレン酢酸ビニル（ＥＶＡ）からなる。チューブ３の弾性率は、０．３ＧＰａ以上４．０ＧＰａ以下であることが望ましい。これは、チューブ３の弾性率が０．３ＧＰａ未満であると光ファイバ２を十分に保護できず、４．０ＧＰａを超えると屈曲性が低下するためである。
【００２０】
複数本の電線４は、チューブ３と外筒体５間の環状の空間に収容されている。本実施の形態では、断面円形状の１０本の電線４が、チューブ３の外周に沿って配置されている。複数本の電線４は、径方向に重ならないように配置される。詳細は後述するが、外力が加わった際にチューブ３に直接外力を伝えてしまわないように、電線４はできるだけ近接して配置されることが望ましい。
【００２１】
外筒体５は、電線４を結束するための樹脂からなるテープ５ａと、テープ５ａの外周に形成された筒状の樹脂からなるシース５ｂと、からなる。テープ５ａは、電線４の外面に接触して螺旋状に巻き回されている。テープ５ａとしては、例えば、紙テープやポリテトラフルオロエチレン（ＰＴＦＥ）製のテープなどを用いることができる。シース５ｂとしては、例えば、ポリエチレン（ＰＥ）やポリ塩化ビニル（ＰＶＣ）などからなるものを用いることができる。なお、テープ５ａとシース５ｂとの間に、多数の導体を編み合わせた編組や、樹脂からなるテープに導電性の金属膜を形成した導電性テープなどからなるシールド層を備えてもよい。
【００２２】
引裂き線１１は、外筒体５の内周面に沿うように配置されている。引裂き線１１は、例えば鋼線などの金属線からなる。
【００２３】
さて、本実施の形態に係る光電気複合ケーブル１では、少なくとも２本の電線４が、他の電線４よりも外径が小さく形成され、引裂き線１１は、外径が小さい電線４の間に配置される。
【００２４】
外径が小さい電線４の間では、外筒体５との間に形成される隙間が最小となる。よって、この小さい隙間に引裂き線１１を配置する構成とすることで、比較的外径の小さい引裂き線１１であっても、電線４と外筒体５との間で引裂き線１１をしっかりと把持し、引裂き線１１の移動を規制することが可能になる。また、比較的外径が大きい引裂き線１１を用いる場合であっても、もともと外径が小さい電線４の間に引裂き線１１を配置するので、光電気複合ケーブル１の全体の断面形状が偏ることを抑制することが可能になる。
【００２５】
また、本実施の形態では、複数本の電線４は、信号伝送用または電源供給用の電線対を複数備え、少なくとも１つの電線対を構成する電線４が、他の電線対を構成する電線４よりも外径が大きく、かつ、チューブ３を挟んで対向する位置に配置されている。
【００２６】
つまり、光電気複合ケーブル１では、径の大きい電線４の対が、チューブ３を挟んで対向する位置に配置されている。このように構成することで、径の大きい電線４が分離して配置されることとなり、断面形状の偏りを抑制することが可能になる。
【００２７】
複数本の電線４は、信号伝送用の電線対を構成する信号線７と、電源供給用の電線対を構成する電源線８と、からなる。また、電源線８は、給電線９とグランド線１０とからなる。信号線７は、撚り線導体からなる中心導体７ａを絶縁体７ｂで被覆して構成されている。電源線８、すなわち給電線９とグランド線１０は、撚り線導体からなる中心導体８ａを絶縁体８ｂで被覆して構成されている。なお、一部の電線４は、通電しないダミー線であってもよく、対で使用されない電線４が含まれていてもよい。
【００２８】
本実施の形態では、電源線８が、信号線７よりも外径が大きく形成されており、この径の大きな電源線８が、チューブ３を挟んで対向する位置に配置されている。本実施の形態においては、信号線７が外径が小さく形成されているため、引裂き線１１は、隣接する信号線７の間に配置される。
【００２９】
また、本実施の形態では、給電線９とグランド線１０とが、チューブ３を挟んで対向する位置に配置されている。このように構成することで、給電線９とグランド線１０を隣接して配置した場合と比較して、ケーブル端末における配線の取り回しが容易となり、基板等への実装を容易とすることが可能になる。
【００３０】
ところで、長距離伝送用あるいは大電流を用いる場合等には、電源線８での伝送損失を抑えるために電源線８の中心導体８ａの断面積を大きくする必要がある。このような場合、電源線８の外径が大きくなりすぎ、断面形状の偏りが大きくなってしまうことが考えられる。
【００３１】
そこで、本実施の形態では、給電線９を複数備えると共に、グランド線１０を複数備え、これら複数の給電線９、複数のグランド線１０を１つの電源ラインとして使用することで、大きな導体断面積を確保して電源ラインでの伝送損失を抑制するように構成した。給電線９やグランド線１０を複数本で構成することで、電源ラインでの伝送損失を抑制しつつも、給電線９やグランド線１０の径を信号線７に近づけて、光電気複合ケーブル１の断面形状を円形状に近づけることが可能となり、断面形状の偏りを抑制可能になると共に、光電気複合ケーブル１の細径化を図ることが可能になる。
【００３２】
ここでは、給電線９とグランド線１０をそれぞれ２本ずつ備える場合を示しているが、給電線９とグランド線１０の本数はこれに限定されるものではない。端末での配線を容易とするため、複数本の給電線９は互いに隣接して配置され、複数本のグランド線１０は互いに隣接して配置されることが望ましい。
【００３３】
なお、給電線９とグランド線１０の本数を増やすと、給電線９とグランド線１０の外径をより小さくすることが可能となり、例えば信号線７としてシールド（外部導体）を備えたものを用いるような場合には、電源線８と信号線７の外径の大小が逆転する場合も考えられる。このような場合には、外径が大きい信号線７の対を、チューブ３を挟んで対向する位置に配置し、かつ、外径が小さい電源線８の間に引裂き線１１を配置すればよい。
【００３４】
また、最も細い電線４（ここでは信号線７）の外径をＤ1、最も太い電線４（ここでは電源線８）の外径をＤ2としたとき、下式（１）
０．８×Ｄ2≦Ｄ1＜Ｄ2    ・・・（１）
を満たすことが望ましい。このように電線４の外径を設定することで、外径の大きな特定の電線４が常にチューブ３を押圧したり、外径の小さな電線４とチューブ３の外周面、または外筒体５の内周面との間に大きな隙間が空いてしまうことを抑制することができる。
【００３５】
図３に示すように、光電気複合ケーブル１では、外力が加わったとき、外力が加わった位置の外筒体５が変形し、一部の電線４が内方へ向かう押圧力を受ける。この押圧力を受けた電線４は、チューブ３に接触し、チューブ３からの反力を受けて楕円状に変形して隣接する電線４に接触する。電線４が密接して配置されている場合には、押圧力を受けた電線４が隣接する電線４に直接押しつけられる場合もある。この電線４同士の接触により、外筒体５からの押圧力の一部が吸収され、チューブ３が受ける荷重が緩和される。その結果、外力によるチューブ３の変形を抑制することが可能になる。
【００３６】
このように、光電気複合ケーブル１では、内筒体であるチューブ３が受ける荷重を、隣接する電線４同士の接触によって緩和している。上述の式（１）の関係を満たし、かつ、隣接する電線４が接触するように電線４を近接して配置することで、チューブ３が受ける荷重を、確実に、隣接する電線４同士の接触によって緩和し、チューブ３の変形を抑制することが可能になる。
【００３７】
なお、この効果を得るためには、電線４の本数は３本以上２０本以下であることが望ましい。電線４の本数が１本または２本であると、電線４同士の接触によってチューブ３が受ける荷重を緩和することができず、２０本を超えると、電線４同士の接触面における面圧が低くなり、電線４同士の接触により押圧力を吸収する効果が乏しくなるためである。
【００３８】
また、電線４の外径の平均値をＤA、チューブ３の外径をＤin、外筒体５の内径をＤoutとしたとき、下式（２）
（Ｄout−Ｄin）／２×０．８≦ＤA＜（Ｄout−Ｄin）／２  ・・・（２）
を満たすことが望ましい。つまり、チューブ３と外筒体５間の距離の８０％以上であるとよい。これにより、電線４同士の接触によってチューブ３が受ける荷重を緩和する効果をより確実に得ることができる。なお、チューブ３の外径Ｄinおよび外筒体５の内径Ｄoutは、チューブ３や外筒体５が変形することなく断面形状が円形状となっている場合の寸法である。
【００３９】
また、光電気複合ケーブル１では、複数の電線４は、チューブ３の外周面に沿って螺旋状に巻き付けられてチューブ３と外筒体５との間に介在している。つまり、複数の電線４の中心軸は、光電気複合ケーブル１の中心軸と平行な方向（ケーブル長手方向）に対して傾斜している。引裂き線１１も、電線４と共に螺旋状に配置されることになる。複数の電線４の螺旋巻きのピッチ（任意の電線４がチューブ３の周囲を１周する間のケーブル長手方向に沿った距離）は、例えば５ｍｍ以上１５０ｍｍ以下であることが望ましい。
【００４０】
複数の電線４が螺旋状に配置されていることにより、電線４がチューブ３と平行に配置されている場合と比較して、光電気複合ケーブル１の屈曲性を高めると共に、光電気複合ケーブル１が曲げられたときに光ファイバ２が側圧を受けることを抑制することが可能になる。
【００４１】
つまり、複数の電線４がチューブ３と平行に配置されている場合には、曲げられた部分の外側にあたる電線４に張力が発生して屈曲しづらくなると共に、その張力によってチューブ３が押圧される。また、曲げられた部分の内側にあたる電線４には、この電線４を軸方向に圧縮する圧縮力が作用して光電気複合ケーブル１の屈曲を妨げると共に、この圧縮力によって電線４に外方に膨らむ撓みが生じ、チューブ３が押圧される。このように、チューブ３は、曲げられた部分における内側および外側から押圧されることとなり、屈曲半径が小さい場合には、光ファイバ２に側圧が作用する。
【００４２】
一方、本実施の形態では、図４に示すように、複数の電線４が螺旋状に配置されているので、光電気複合ケーブル１が曲げられた部分の外側または内側の全体（螺旋巻きのピッチよりも長い範囲）にわたって、特定の電線４が配置されることがない。つまり、光電気複合ケーブル１では、それぞれの電線４がチューブ３よりも外側または内側に存在する範囲は、螺旋巻きのピッチの半分以下の範囲に限られる。そのため、チューブ３よりも外側の部分における張力と内側の部分における圧縮力が相殺され、電線４がチューブ３を押圧する力が弱くなると共に、光電気複合ケーブル１の屈曲性が高まる。なお、図４では外筒体５と引裂き線１１を省略して示している。
【００４３】
また、光電気複合ケーブル１では、外力が作用して曲げが加えられた際に、チューブ３に対して電線４がケーブル長手方向にすべる。このチューブ３と電線４間のすべりにより、曲げが加わった際にチューブ３が電線４から受ける力を抑制し、チューブ３の変形を抑制して、光ファイバ２への側圧を低減することが可能になる。つまり、光電気複合ケーブル１では、外筒体５の外周側から外力を受けることによってチューブ３が受ける荷重が、チューブ３に対する電線４のすべりによって緩和されている。
【００４４】
絶縁体７ｂ、８ｂとしては、チューブ３に対してすべりのよい材料を用いることが望ましく、フッ化エチレンプロピレン（ＦＥＰ）、パーフルオロアルコキシ（ＰＦＡ）、ポリフッ化ビニリデン（ＰＶＤＦ）、またはポリエチレン（ＰＥ）からなるものを用いるとよい。これらの材料を用いることで、光電気複合ケーブル１の屈曲時に電線４が効率よく動けるようになり、曲げが加わった際に光ファイバ２に作用する側圧を低減することが可能になる。また、チューブ３と電線４間のすべりを十分に確保することで、製造時のチューブ３のねじれや変形を防ぐことも可能になる。なお、絶縁体７ｂ、８ｂとしては、ポリテトラフルオロエチレン（ＰＴＦＥ）、エチレン−テトラフルオロエチレン共重合体（ＥＴＦＥ）、ポリプロピレン（ＰＰ）、ポリエチレンテレフタレート（ＰＥＴ）、またはポリフェニレンサルファイド（ＰＰＳ）等からなるものを用いることも可能である。
【００４５】
また、チューブ３の厚さｔは、下式（３）
ｔ≧Ｄin×０．２    ・・・（３）
を満たすことが望ましい。つまり、チューブ３の厚さｔは、外径Ｄinの５分の１以上であるとよい。このようにチューブ３を形成することにより、チューブ３の強度が確保されて外力による変形が抑制され、光ファイバ２に作用する側圧を低減することができる。
【００４６】
さらに、光ファイバ２の外径をｄ、チューブ３の内径をＤとすると、下式（４）
ｄ×４＜Ｄ    ・・・（４）
を満たすことが望ましい。これは、チューブ３の内部で４本の光ファイバ２が直線状に並んだ場合でもチューブ３との間に隙間を確保し、チューブ３が窪むように変形したような場合であっても、その押圧力が直接光ファイバ２に側圧として作用することを防ぐためである。
【００４７】
また、チューブ３の内部の光ファイバ２および繊維束６が存在しない空間の割合（空間割合という）は、チューブ３の内部空間全体の３５％以上であることが望ましい。より詳細には、チューブ３の内部空間における４本の光ファイバ２の体積の割合（占積率）は、２％以上２５％以下であるとよい。また、チューブ３の内部空間における繊維束６の体積の割合（占積率）は、２％以上５０％以下であるとよい。この場合、空間割合は９６％以下（繊維束６を収容しない場合は９８％以下）となる。
【００４８】
このように空間割合を設定することで、外力によってチューブ３が変形した場合でも、この変形によって光ファイバ２が側圧を受けることが抑制される。つまり、外力によってチューブ３が押し潰されるように変形した場合、この変形は光ファイバ２および繊維束６が存在しない空間が狭くなることによって吸収され、チューブ３に作用する押圧力が直接的に光ファイバ２に側圧として作用することが抑制される。
【００４９】
図１の光電気複合ケーブル１を試作し、図５に示すような屈曲試験装置５１を用い、屈曲半径Ｒを３７ｍｍとして光電気複合ケーブル１を左右に９０度ずつ曲げることを繰り返す屈曲試験を行った。目標１００サイクルとして屈曲試験を行ったところ、目標を大きく上回る５００サイクルの屈曲を加えた場合であっても、光ファイバ２の断線等の異常は発生せず、屈曲に対する耐性が高く十分な信頼性が得られていることを確認できた。
【００５０】
また、図６に示すように、試験台６１に載置された光電気複合ケーブル１に、側圧試験治具６２により鉛直方向上方から下方に荷重を加え、光ファイバ２への入力光量に対する出力光量の差異を調べるケーブル側圧試験を行った。ここでは、側圧試験治具６２と光電気複合ケーブル１の接触面積を１００ｍｍ2（５０ｍｍ×２ｍｍ）、側圧試験治具６２により付与する荷重を１０００Ｎ（１０Ｎ／ｍｍ2）とした。これは、体重１００ｋｇの人が２６ｃｍサイズの靴の最狭部分で光電気複合ケーブル１を踏んだ場合を想定している。
【００５１】
ケーブル側圧試験の結果、入力光量に対する出力光量の差異は０．１ｄＢ以下（測定器の誤差範囲内）であり、入出力間で光量変化がほぼ無いことが確認された。つまり、光電気複合ケーブル１では、体重１００ｋｇ程度の人に踏まれた場合であっても、光ファイバ２のマイクロベンディング（側圧が加わることによりコアの中心軸が僅かに曲がること）による光損失がほとんど無いことが確認された。
【００５２】
本実施の形態の作用を説明する。
【００５３】
本実施の形態に係る光電気複合ケーブル１では、少なくとも２本の電線４が、他の電線４よりも外径が小さく形成され、引裂き線１１は、外径が小さい電線４の間に配置されている。
【００５４】
外径が小さい電線４の間は外筒体５との隙間が最小となるので、外径が小さい引裂き線１１であっても引裂き線１１をしっかりと把持し、引裂き線１１の移動を規制することが可能になる。その結果、外径の大きい引裂き線１１を用いることによるケーブル質量の増加やコストの増大を抑制し、かつ、信頼性や端末処理時の作業性を向上することが可能になる。
【００５５】
また、光電気複合ケーブル１では、少なくとも１つの電線対を構成する電線４が、他の電線対を構成する電線４よりも外径が大きく、かつ、内筒体であるチューブ３を挟んで対向する位置に配置されている。
【００５６】
このように構成することで、外径の大きい電線４を分離して配置し、断面形状の偏りを抑制することが可能になる。断面形状の偏りを抑制することにより、チューブ３に負荷がかかることを抑制し、曲げなどの外力が加わった際に光ファイバ２のマイクロベンディングによる光損失が増大してしまうことや、光ファイバ２が断線してしまうことを抑制し、信頼性を向上させることが可能になる。また、断面形状の偏りを抑制することで、所望のレイアウトに配線し易くなる。
【００５７】
さらに、光電気複合ケーブル１では、複数本の電線４は、内筒体であるチューブ３の外周面に沿って螺旋状に巻き付けられてチューブ３と外筒体５との間に介在している。
【００５８】
このように構成することで、屈曲性の低下を抑制しながら光ファイバ２のマイクロベンディングによる光損失を低減することが可能になる。
【００５９】
本発明は上記実施の形態に限定されるものではなく、本発明の趣旨を逸脱しない範囲で種々の変更を加え得ることは勿論である。
【００６０】
例えば、上記実施の形態では、２本の給電線９と２本のグランド線１０を対向配置する場合を説明したが、これに限らず、例えば１本の給電線と１本のグランド線１０を隣接配置し、これら２本の電源線８を対向配置する、といった配置なども可能である。
【符号の説明】
【００６１】
１  光電気複合ケーブル
２  光ファイバ
３  チューブ（内筒体）
４  電線
５  外筒体
６  繊維束
７  信号線
８  電源線
９  給電線
１０  グランド線
１１  引裂き線
【図１】
2014216177.tif 000003
【図２】
2014216177.tif 000004
【図３】
2014216177.tif 000005
【図４】
2014216177.tif 000006
【図５】
2014216177.tif 000007
【図６】
2014216177.tif 000008